(57)【特許請求の範囲】
【請求項１】
温水を噴出させるための洗浄ノズルと、温水源からの温水を該洗浄ノズルに供給するための主流路と、該主流路から分岐しており、初期冷水を排出するための捨て水流路と、該主流路から分岐流路へ水を流すための捨て水弁と、
便器近傍の人体を検知する人体検知手段と、
該人体検知手段からの人体検知信号に基づいて該捨て水弁を開いて捨て水動作させるよう制御する制御手段とを有する温水洗浄装置において、
捨て水動作を禁止するための捨て水停止スイッチが設けられており、
前記制御手段は、該捨て水停止スイッチが操作された場合は、その後所定時間の間、捨て水動作を禁止するものであることを特徴とする温水洗浄装置。
【請求項２】
請求項１において、前記制御手段は、前記所定時間が経過した時点で前記人体検知手段が人体を検知しているときには、この人体が検知されなくなるまで捨て水動作の禁止を継続するものであることを特徴とする温水洗浄装置。
【発明の詳細な説明】
【０００１】
【発明の属する技術分野】
本発明は、洋風便器等に設けられ、人体臀部を温水で洗浄するための温水洗浄装置に係り、特に初期冷水を捨てるための機構を備えた温水洗浄装置に関する。
【０００２】
【従来の技術】
この種の温水洗浄装置は、周知の通り洗浄ノズルから温水を人体臀部に向けて噴出して該臀部を洗浄するものであり、通常は、シャワーノズル（肛門洗浄ノズル）とビデノズルとの２個のノズルが設けられている。シャワースイッチと称される第１の洗浄スイッチを操作する（例えば、押す、触れる、又は指先を近づける）と、温水源からの温水がシャワーノズルに供給される。また、ビデスイッチと称される第２の洗浄スイッチを操作するとビデノズルへ温水が供給される。
【０００３】
この温水は、温水洗浄装置に組み込まれた温水タンクや瞬間湯沸し型温水供給器から供給される場合と、ホテル等の如くボイラなどの給湯設備から供給される場合とがある。
【０００４】
このような温水洗浄装置において、温水源から最初に供給される水は水温が低いので、この低温水を洗浄ノズルから人体臀部に噴出させないように便鉢等へ排出する機構が設けられている。このような機構は初期冷水の排出機構あるいは捨て水機構等と称されている。
【０００５】
このような捨て水機構として、便座への着座や、トイレルームへの人体の入室、便器への人体の接近等が検知されると捨て水動作を開始する人体検知応動型のものがある。この人体検知応動型捨て水機構によれば、着座に応じて捨て水が自動的に開始されるので、実際にシャワースイッチやビデスイッチを操作したときに直ちに温水が噴出する。
【０００６】
この人体検知応動型の捨て水機構は、ボイラなどの給湯設備からの給湯を利用する温水洗浄装置のように初期冷水量が比較的多い場合に好適である。
【０００７】
【発明が解決しようとする課題】
人体検知応動型の捨て水機構にあっては、便器使用（用便）以外の目的で、例えば便器の清掃時等のように便座に触ったり便座に近づいたりした場合にも捨て水が実行されるという不便がある。
【０００８】
本発明は、このような無用な捨て水動作を禁止することができる人体検知応動型の捨て水機構を有した温水洗浄装置を提供することを目的とする。
【０００９】
【課題を解決するための手段】
本発明の温水洗浄装置は、温水を噴出させるための洗浄ノズルと、温水源からの温水を該洗浄ノズルに供給するための主流路と、該主流路から分岐しており、初期冷水を排出するための捨て水流路と、該主流路から分岐流路へ水を流すための捨て水弁と、便器近傍の人体を検知する人体検知手段と、該人体検知手段からの人体検知信号に基づいて該捨て水弁を開いて捨て水動作させるよう制御する制御手段とを有する温水洗浄装置において、捨て水動作を禁止するための捨て水停止スイッチが設けられており、前記制御手段は、該捨て水停止スイッチが操作された場合は、その後所定時間の間、捨て水動作を禁止するものであることを特徴とするものである。
【００１０】
かかる温水洗浄装置によると、捨て水が開始する前、又は開始した後に捨て水停止スイッチが操作されると、所定時間は捨て水が行われない。このため、便器の清掃等を行うときにこの捨て水停止スイッチを操作することにより、便座に触れたり近づいたりしても捨て水動作を実行させないでおくことができる。
【００１１】
また、初期冷水の排出動作を不要と感じる便器使用者は、捨て水停止スイッチを操作することにより、自らの意思に基づいて捨て水動作を停止させることができる。
【００１２】
本発明では、制御手段は、前記所定時間が経過した時点で人体検知手段が人体を検知しているときには、この人体が検知されなくなるまで捨て水動作の禁止を継続するものであってもよい。
【００１３】
かかる温水洗浄装置にあっては、例えば上記の所定時間が経過した時点でまだ清掃が終っていなかったり、あるいは着座したままであった場合であっても捨て水動作が行われない。
【００１４】
なお、本発明にあっては、捨て水動作の禁止期間中にシャワースイッチ又はビデスイッチがＯＮ操作されたときには、シャワーノズル又はビデノズルから水を噴出させる動作を行ってもよい。
【００１５】
【発明の実施の形態】
以下、図面を参照して実施の形態について説明する。図１は実施の形態に係る温水洗浄装置の系統図、図２〜６は捨て水動作を説明するタイミングチャートである。
【００１６】
図１において、建物の壁に設けられたボイラからの給湯壁配管（図示略）に対し、止水栓（図示略）及び給湯配管１を介して湯水混合弁３が接続されている。この湯水混合弁３には水道水（加温していない常温の水）を供給するための水道配管２も接続されている。
【００１７】
この湯水混合弁３で混合されて適温となった温水は、主流路を構成する配管４、電磁弁等よりなるメインバルブ５、流量調節弁６、配管７、切替弁８及び配管９を介してシャワーノズル１０へ供給可能とされると共に、該切替弁８から配管１１を介してビデノズル１２へ供給可能とされている。流量調節弁６には手動用のダイヤル６ａが設けられている。
【００１８】
該切替弁８は、配管７を配管９又は１１へ連通させるようにソレノイド又はモータ等の動力手段（図示略）によって切替動作する。
【００１９】
シャワーノズル１０及びビデノズル１２は、いずれもシリンダ１０ａ，１２ａと、該シリンダ１０ａ，１２ａから水圧によって突出するノズル本体１０ｂ，１２ｂとを有し、該ノズル本体１０ｂ，１２ｂの先端側の上面に温水の噴出孔が設けられている。ただし、このような水圧前進式以外のモータ前進式等の洗浄ノズルを用いた温水洗浄装置についても本発明を適用できる。
【００２０】
前記配管４から捨て水配管１４が分岐しており、この捨て水配管１４に電磁弁等よりなる捨て水弁１５が設けられている。捨て水配管１４の先端の流出口１６は便器の便鉢に臨んでいる。なお、この捨て水弁１５は、図示の二方弁に限定されるものではなく、配管４からの分岐部に設けられる三方弁であってもよい。
【００２１】
このメインバルブ５，切替弁８及び捨て水弁１５は制御器１８によって制御される。この制御器１８にはシャワースイッチ２０、ビデスイッチ２１及びストップスイッチ２２並びに便座への着座を検知する着座センサ２３が接続されている。
【００２２】
〔温水洗浄装置の通常の動作〕
このように構成された温水洗浄装置の通常の場合（捨て水禁止動作させない場合）の作動は図２の通りである。
【００２３】
即ち、着座センサ２３によって着座が検知され、この着座が所定時間（例えば２秒。この所定時間は１〜５秒の間から選定されることが好ましい。）継続した場合、捨て水弁１５が所定時間（例えば１０秒。この所定時間は５〜２０秒の間から選定されることが好ましい。）開弁する。これにより、湯水混合弁３からの比較的低温の初期冷水が配管１４、流出口１６を介して便鉢に排出される。その後、捨て水弁１５が閉弁する。
【００２４】
この後、シャワースイッチ２０が操作されると、メインバルブ５が開弁すると共に、配管７，９が連通するように切替弁８が作動し、温水がシャワーノズル１０へ供給され、シャワー洗浄が行われる。また、ビデスイッチ２１が操作されると、同様にして温水がビデノズル１２へ供給され、ビデ洗浄が行われる。このシャワー洗浄又はビデ洗浄の強さは、ダイヤル６ａによって調節することができる。このシャワー洗浄又はビデ洗浄中にストップスイッチ２２が操作されると、メインバルブ５が閉弁し、このシャワー洗浄又はビデ洗浄が停止する。この停止時には切替弁８は配管９，１１を連通する流路選択を行う。
【００２５】
〔捨て水禁止動作（その１）〕
図３は、着座検知に応動して実行された捨て水をストップスイッチ２２で強制的に終了させる場合を示している。
【００２６】
図３の通り、着座センサ２３が例えば２秒着座を継続して検知すると、捨て水弁１５が開弁して捨て水が開始する。そこで、この捨て水を中止すべくストップスイッチ２２を操作すると、捨て水弁１５が閉弁すると共に、制御器１８に設けられた捨て水禁止タイマーが計時を開始し、予め設定された時間（例えば３０秒。この設定時間は１５〜６０秒の間から選定されることが好ましい。）捨て水が禁止される。この捨て水禁止期間には、着座センサ２３が着座を検知しても自動的な、即ち着座に応じた捨て水は実行されない。
【００２７】
なお、この着座禁止期間中にシャワースイッチ２０又はビデスイッチ２１が操作されるとシャワー洗浄又はビデ洗浄が実行されるが、このシャワー洗浄又はビデ洗浄に先立って捨て水を実行してもよく、捨て水を行わなくてもよい。
【００２８】
〔捨て水禁止動作（その２）〕
図４は、着座に先立ってストップスイッチ２２を操作した場合を示している。
【００２９】
この場合は、ストップスイッチ２２を操作した時点から捨て水禁止タイマーが作動し、その設定時間内は着座が検知されても捨て水を実行しない。この場合も、着座禁止期間中にシャワースイッチ２０又はビデスイッチ２１が操作されるとシャワー洗浄又はビデ洗浄が実行されるが、このシャワー洗浄又はビデ洗浄に先立って捨て水を実行してもよく、捨て水を行わなくてもよい。
【００３０】
〔捨て水禁止動作（その３）〕
なお、図３，４の場合においては、捨て水禁止期間中に着座が中断しても捨て水禁止モードはそのまま保持される。例えば、図５のように捨て水動作をストップスイッチ２２の操作によって中止させて捨て水禁止期間に入った場合、この捨て水禁止期間内に着座が検知されなくなりその後再度着座が検知された場合でも、この再度の着座検知によっては捨て水は実行されない。
【００３１】
〔捨て水禁止動作（その４）〕
着座が長時間に及んだ場合など、予め設定された捨て水禁止期間が経過した時点でなおも着座が検知される場合には、図６のように捨て水禁止を着座が検知されなくなるまで延長する。
【００３２】
図６では、図３と同様に着座が２秒以上検知された時点で捨て水を開始し、この捨て水動作がストップスイッチ２２の操作によって中止され、またストップスイッチ２２の操作の時点から捨て水禁止モードに入っている。設定時間の満了時にまだ着座が検知されているので、着座が検知されなくなるまで捨て水禁止を継続させる。
【００３３】
図６は、図３のように、自動捨て水開始後にストップスイッチ２２を操作する場合に関連しているが、図４のように予めストップスイッチ２２を操作した場合も同様とされる。
【００３４】
上記実施の形態では湯水混合弁が用いられているが、温水タンクを用いた温水洗浄装置などにも本発明を適用してもよい。
【００３５】
上記の着座センサとしては、着座荷重検知方式のもの、静電容量式のもの、赤外線等の光学式のものなど各種のものを用いることができる。
【００３６】
本発明は、着座以外の人体、例えばトイレルームに入室する人体や便器に近接した人体を検知して捨て水を行う温水洗浄装置にも適用できる。
【００３７】
【発明の効果】
以上の通り、本発明によると、無用な捨て水動作を捨て水停止スイッチによって禁止することができる人体検知応動型の捨て水機構を有した温水洗浄装置が提供される。
【図面の簡単な説明】
【図１】実施の形態に係る温水洗浄装置の系統図である。
【図２】実施の形態に係る温水洗浄装置の動作を示すタイミングチャートである。
【図３】実施の形態に係る温水洗浄装置の動作を示すタイミングチャートである。
【図４】実施の形態に係る温水洗浄装置の動作を示すタイミングチャートである。
【図５】実施の形態に係る温水洗浄装置の動作を示すタイミングチャートである。
【図６】実施の形態に係る温水洗浄装置の動作を示すタイミングチャートである。
【符号の説明】
３  湯水混合弁
５  メインバルブ
６  流量調節弁
６ａ  ダイヤル
１，２，４，７，９，１１  配管
８  切替弁
１０  シャワーノズル
１２  ビデノズル
１４  捨て水配管
１５  捨て水弁
１６  流出口
１８  制御器
【図１】
0003700520.tif 000002
【図２】
0003700520.tif 000003
【図３】
0003700520.tif 000004
【図４】
0003700520.tif 000005
【図５】
0003700520.tif 000006
【図６】
0003700520.tif 000007